【手続補正書】
【提出日】平成26年7月4日(2014.7.4)
【手続補正１】
【補正対象書類名】特許請求の範囲
【補正対象項目名】請求項１
【補正方法】変更
【補正の内容】
【請求項１】
サムターンの摘み操作で出没するデッドボルトと、一端部側が取付け座を介して揺動自在に取り付けられ、上側から手掛け可能なプッシュ／プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、
該錠ケースを、扉体に予め開孔された室内外を連通する軸挿通孔を利用し、室内側の扉面に取着される取付けベースを介して扉体に取り付けするに、
該取付けベースは、基面部から立ち上がり形成された錠ケースを装着する取付部と、基面部から取付部に背反して折曲形成された断面視略Ｕ字状の係止部とを有し、
該係止部を、前記室内側の軸挿通孔から、その扉面板の裏面側周面に係止せしめて前記取付けベースを面ズレ可能に緩装させて仮固定し、
前記取付部に対して、前記錠ユニットと共に錠ケースを組み付けし、
該錠ケースと室外側扉面に取り付けされるプルハンドルユニットとを、前記軸挿通孔に挿通されるジョイント軸を介して、前記仮固定状態を維持して位置合わせ調整可能に連結せしめ、位置合わせ調整後に本固定可能に構成したことを特徴とする面付けプッシュプル錠。
【手続補正２】
【補正対象書類名】特許請求の範囲
【補正対象項目名】請求項４
【補正方法】変更
【補正の内容】
【請求項４】
サムターンの摘み操作で出没するデッドボルトと、一端部側が内／外取付け座を介して揺動自在に取り付けられ、上側から手掛け可能なプッシュ/プルハンドルの押し／引き操作により反転可能なラッチと、室外側から錠操作可能なにシリンダ錠とを備える錠ユニットを、室内側の扉面に取り付けられる錠ケースに内装せしめると共に、
該錠ケースを、扉体に予め開孔された室内外を連通する軸挿通孔を利用し、室内側の扉面に取着される取付けベースを介して扉体に取り付けするに、
室外側に取り付けられるプルハンドルユニットを、前記シリンダ錠の先端が挿入されるシリンダ孔を有し、扉面からプルハンドルの取付け座を収容可能な外周幅を存して形成される外台座と、該外台座内に設けられた外取付け座と、該外取付け座に揺動可能に取り付けられたプルハンドルとで構成する一方、
前記錠ケースは、その表面が略平滑面に形成された内台座と、該内台座の表面から突出させて設けられた前記サムターンおよびプッシュハンドルの後付け可能な内取付け座とを一体に備えるプッシュハンドルユニットを、錠ケース表面部に装着可能に構成せしめ、
該錠ケースを、前記取付けベースを介して前記錠ユニットと共に扉体に取り付けし、前記プルハンドルユニットと前記軸挿通孔に挿通されるジョイント軸を介して連結してあることを特徴とする面付けプッシュプル錠。
【手続補正３】
【補正対象書類名】特許請求の範囲
【補正対象項目名】請求項８
【補正方法】変更
【補正の内容】
【請求項８】
サムターンの摘み操作で出没するデッドボルトと、一端部側が取付け座を介して揺動自在に取り付けられ、上側から手掛け可能なプッシュ/プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、
該錠ケースを、扉体に予め開孔された室内外を連通する軸挿通孔を利用し、室内側の扉面に取着される取付けベースを介して扉体に取り付けするにあたり、
先ず、前記軸挿通孔の外周近傍にバカ孔を穿設する一方、
前記取付けベースを、基面部から立ち上がり錠ケースを装着するための取付部と、基面部から取付部に背反して折曲された断面視略Ｕ字状の係止部とを有して形成し、
前記バカ孔位置で、前記係止部を、前記室内側の軸挿通孔からその扉面板の裏面側周面に係止せしめてセットし、前記基面部と係止部とを扉面板を挟み込んだ状態で、前記バカ孔を介してビス止めすることで、取付けベースを面ズレ可能に緩装させて仮固定し、
しかる後、前記錠ユニットと共に錠ケースを、前記取付部に対して取着することで取付けベースに固定し、
該錠ケースと室外側扉面に取り付けされるプルハンドルユニットとを、前記仮固定を維持した状態で位置合わせ調整可能に、前記軸挿通孔に挿通されるジョイント軸に連結ボルトで連結し、
次いで、扉枠側に形成されたストライクに対して、デッドボルトとラッチが適正に係脱するよう位置合わせ調整した後、前記連結ボルトを締め付けして本固定することを特徴とする面付けプッシュプル錠の取り付け方法。
【手続補正４】
【補正対象書類名】明細書
【補正対象項目名】０００６
【補正方法】変更
【補正の内容】
【０００６】
上記課題を解決するために本発明の面付けプッシュプル錠は、サムターンの摘み操作で出没するデッドボルトと、一端部側が取付け座を介して揺動自在に取り付けられ、上側から手掛け可能なプッシュ／プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、該錠ケースを、扉体に予め開孔された室内外を連通する軸挿通孔を利用し、室内側の扉面に取着される取付けベースを介して扉体に取り付けするに、該取付けベースは、基面部から立ち上がり形成された錠ケースを装着する取付部と、基面部から取付部に背反して折曲形成された断面視略Ｕ字状の係止部とを有し、該係止部を、前記室内側の軸挿通孔から、その扉面板の裏面側周面に係止せしめて前記取付けベースを面ズレ可能に緩装させて仮固定し、前記取付部に対して、前記錠ユニットと共に錠ケースを組み付けし、該錠ケースと室外側扉面に取り付けされるプルハンドルユニットとを、前記軸挿通孔に挿通されるジョイント軸を介して、前記仮固定状態を維持して位置合わせ調整可能に連結せしめ、位置合わせ調整後本固定可能に構成したことを特徴とするものである。
また、上記課題を解決するために本発明の面付けプッシュプル錠は、サムターンの摘み操作で出没するデッドボルトと、一端部側が内／外取付け座を介して揺動自在に取り付けられ、上側から手掛け可能なプッシュ/プルハンドルの押し／引き操作により反転可能なラッチと、室外側から錠操作可能なにシリンダ錠とを備える錠ユニットを、室内側の扉面に取り付けられる錠ケースに内装せしめると共に、該錠ケースを、扉体に予め開孔された室内外を連通する軸挿通孔を利用し、室内側の扉面に取着される取付けベースを介して扉体に取り付けするに、室外側に取り付けられるプルハンドルユニットを、前記シリンダ錠の先端が挿入されるシリンダ孔を有し、扉面からプルハンドルの取付け座を収容可能な外周幅を存して形成される外台座と、該外台座内に設けられた外取付け座と、該外取付け座に揺動可能に取り付けられたプルハンドルとで構成する一方、前記錠ケースは、その表面が略平滑面に形成された内台座と、該内台座の表面から突出させて設けられた前記サムターンと、プッシュハンドルの後付け可能な内取付け座とを一体に備えるプッシュハンドルユニットを、錠ケース表面部に装着可能に構成せしめ、該錠ケースを、前記取付けベースを介して前記錠ユニットと共に扉体に取り付けし、前記プルハンドルユニットと前記軸挿通孔に挿通されるジョイント軸を介して連結してあることを特徴とするものである。
また、上記課題を解決するために本発明の面付けプッシュプル錠の取り付け方法は、サムターンの摘み操作で出没するデッドボルトと、一端部側が取付け座を介して揺動自在に取り付けられ、上側から手掛け可能なプッシュ/プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、該錠ケースを、扉体に予め開孔された室内外を連通する軸挿通孔を利用し、室内側の扉面に取着される取付けベースを介して扉体に取り付けするにあたり、先ず、前記軸挿通孔の外周近傍にバカ孔を穿設する一方、前記取付けベースを、基面部から立ち上がり錠ケースを装着するための取付部と、基面部から取付部に背反して折曲された断面視略Ｕ字状の係止部とを有して形成し、前記バカ孔位置で、前記係止部を、前記室内側の軸挿通孔からその扉面板の裏面側周面に係止せしめてセットし、前記基面部と係止部とを扉面板を挟み込んだ状態で、前記バカ孔を介してビス止めすることで、取付けベースを面ズレ可能に緩装させて仮固定し、しかる後、前記錠ユニットと共に錠ケースを、前記取付部に対して取着することで取付けベースに固定し、該錠ケースと室外側扉面に取り付けされるプルハンドルユニットとを、前記仮固定を維持した状態で位置合わせ調整可能に、前記軸挿通孔に挿通されるジョイント軸に連結ボルトで連結し、次いで、扉枠側に形成されたストライクに対して、デッドボルトとラッチが適正に係脱するよう位置合わせ調整した後、前記連結ボルトを締め付けして本固定することを特徴とするものである。
【手続補正５】
【補正対象書類名】明細書
【補正対象項目名】００１１
【補正方法】変更
【補正の内容】
【００１１】
内取付け座４２は、内台座４１に一体形成されて外方に開口して立ち上がる矩形筒状の凹状支持部４２１を有し、この凹状支持部４２１内に設けられた支持軸４２２に、先端を錠ユニット３内部に挿入されてラッチ３４に連携する短寸の内揺動軸４２３、プッシュハンドル４０の取付け脚４２４を揺動可能に、プッシュハンドル４０および内揺動軸４２３を定位置に復帰させるバネ４２５がそれぞれ軸装されている。これにより、プッシュハンドル４０の押し操作で、内揺動軸４２３が引っ張り方向に揺動しラッチ３４が図示しない連動機構によって没入方向に反転するようになっている。
プッシュハンドル４０は、その後端（自由端）側から取付け脚４２４にビス固定されるが、前面および上下面によって取付け脚４２４を覆い隠すよう延出する背面視コ字状の覆い面４０１が形成されている。この様に形成すると、前側の覆い面４０１の下端が錠ケース２に近接して、プッシュハンドル４０の取付け脚４２４から突出する前端部とが大きく離間してしまう状態が回避され、出入りの際に、錠ケース２幅に起因して扉面から離間したプッシュハンドル４０の前端部に物を引っ掛けたり、ぶつけたりする危険性を未然に防止することができる。なお、前側の覆い面４０１をハンドル面から垂直に側面視Ｌ字状に折曲形成したが、ハンドル面自体を湾曲形成させても良く、または、別体のカバー材に形成しても良く、要は、取付け脚４２４から突出する前端部と錠ケース２との離間を覆い隠すようにしたものであればよい。
【手続補正６】
【補正対象書類名】明細書
【補正対象項目名】００１７
【補正方法】変更
【補正の内容】
【００１７】
叙述の如く構成された本発明の実施の形態において、扉体７に予め開孔された室内外を連通する軸挿通孔７４ａ、７４ｂを利用して、既設の面付け錠に換えて新たな面付け錠を取り付けるのであるが、本発明における面付け錠は、室内側の扉面に取り付けられる錠ケース２が、デッドボルト３２１とラッチ３４とを上下に並設して備える錠ユニット３を内装するだけでなく、室内側のプッシュハンドルユニット４を錠ケース２の表面に一体的に外装可能に構成されると共に、錠ケース２を、取付けベース６を介して錠ユニット３と共に扉体７に取り付けして、錠ケース２と室外側扉面に取り付けされるプルハンドルユニット５と軸挿通孔７４ａ、７４ｂに挿通されるジョイント軸５４を介して連結する、所謂、横手タイプのハンドルを備えた面付けプッシュプル錠１として構成されている。
【手続補正７】
【補正対象書類名】明細書
【補正対象項目名】００１９
【補正方法】変更
【補正の内容】
【００１９】
しかも、取付けベース６は、基面部６１から立ち上がり形成された錠ケース２を装着する取付部６２と、基面部６１から取付部に背反して折曲形成された断面視略Ｕ字状の係止部６４とを有し、該係止部６４を、室内側の軸挿通孔７４ａ、７４ｂから、その扉面板（錠前ライナー７３）の裏面側周面に係止せしめて取付けベース６を面ズレ可能に緩装させて仮固定し、係止部６４に対して、錠ユニット３と共に錠ケース２を組み付けし、該錠ケース２と室外側扉面に取り付けされるプルハンドルユニット５とを、前記仮固定状態を維持して位置合わせ調整可能に連結せしめ、位置合わせ調整後に連結ボルトとジョイント軸５４を締め付けして本固定可能に構成してある。
【手続補正８】
【補正対象書類名】明細書
【補正対象項目名】００２１
【補正方法】変更
【補正の内容】
【００２１】
さらに、室外側に取り付けられるプルハンドルユニット５を、シリンダ錠３３の先端が挿入されるシリンダ孔５２を有し、扉面からプルハンドル５０の外取付け座５３を収容可能な外周幅を存して形成される外台座５１と、該外台座５１内に設けられた外取付け座５３と、この外取付け座５３に揺動可能に取り付けられたプルハンドル５０とで構成する一方、錠ケース２は、その表面が略平滑面に形成された内台座４１と、該内台座４１の表面から突出させて設けられたサムターン３２と、プッシュハンドル４０の後付け可能な内取付け座４２とを一体に備えるプッシュハンドルユニット４を、錠ケース２の表面部に装着可能に構成せしめ、該錠ケース２を、取付けベース６を介して錠ユニット３と共に扉体７に取り付けし、プルハンドルユニット５と軸挿通孔７４ａ、７４ｂに挿通されるジョイント軸５４を介して連結するよう構成してある。
【手続補正９】
【補正対象書類名】明細書
【補正対象項目名】００２３
【補正方法】変更
【補正の内容】
【００２３】
また、錠ケース２は、プッシュハンドルユニット４の内台座４１の表面に設けた中央の皿ビス孔４１２から錠ユニット３（錠本体ケーシング３１）にビス止め固定され、かつ、プッシュハンドルユニット４とプルハンドルユニット５とを軸挿通孔７４ａ、７４ｂを介して上下の皿ビス孔４１２からジョイント軸５４に連結ボルトで連結固定することで扉面に取り付けられるので、錠ケース２自体を扉面に仮固定状態で取着することができ、手を離した状態からプルハンドルユニット５をセットして、連結固定作業を行うことができると共に、錠ケース２を挟んで強固に連結固定することができるだけでなく、内取付け座４２の上下に穿設された皿ビス孔４１２をプッシュハンドル４０で覆い隠すことができ、従来のレバーハンドルに比べてその上側からの手掛け位置を高くして操作をし易くすることができる。